(57)【要約】【課題】検査者の検査ミスを防止すること。【解決手段】表示制御装置１００は、検像者によって選択されたオーダ情報が示す撮像指示に応じて撮像された撮像画像Ｐを画像ビューア１３０に表示するとともに、患者の撮像対象部位についての撮像の際における撮像装置の設定情報、又は、撮像に関して入力された情報の少なくともいずれかの情報を実施入力画面１２０に表示する。表示制御装置１００は、実施入力画面１２０の終了指示を受け付けた場合には、実施入力画面１２０の表示を終了するとともに、実施入力画面１２０と同じオーダ情報に関する画像ビューア１３０の表示も終了する。同様に、表示制御装置１００は、画像ビューア１３０の終了指示を受け付けた場合には、画像ビューア１３０の表示を終了するとともに、画像ビューア１３０と同じオーダ情報に関する実施入力画面１２０の表示も終了する。【選択図】図１
2014092820.tif 000002
【特許請求の範囲】
【請求項１】
コンピュータに、
複数の検査対象のうちいずれか１の検査対象が選択されることに応じて表示した複数のウィンドウのうちいずれかのウィンドウについてウィンドウの表示を終了する指示を受け付けると、終了する指示を受け付けられた該ウィンドウを含む前記複数のウィンドウの表示を終了する、
処理を実行させることを特徴とする表示制御プログラム。
【請求項２】
前記複数のウィンドウは、患者の撮像対象部位が指定された撮像指示に応じて撮像された撮像画像が表示される第１のウィンドウと、前記撮像指示に関する情報が表示される第２のウィンドウと、を含むことを特徴とする請求項１に記載の表示制御プログラム。
【請求項３】
前記コンピュータに、
前記複数の検査対象のうちいずれか１の検査対象に対応する情報の表示要求を受け付けた場合に、前記複数のウィンドウの各々のウィンドウに、前記検査対象に対応するそれぞれ異なる情報を表示させる、
処理を実行させることを特徴とする請求項１または２に記載の表示制御プログラム。
【請求項４】
コンピュータが、
複数の検査対象のうちいずれか１の検査対象が選択されることに応じて表示した複数のウィンドウのうちいずれかのウィンドウについてウィンドウの表示を終了する指示を受け付けると、終了する指示を受け付けられた該ウィンドウを含む前記複数のウィンドウの表示を終了する、
処理を実行することを特徴とする表示制御方法。
【請求項５】
複数の検査対象のうちいずれか１の検査対象が選択されることに応じて表示した複数のウィンドウのうちいずれかのウィンドウについてウィンドウの表示を終了する指示を受け付ける受付部と、
前記受付部によって終了する指示を受け付けられた該ウィンドウを含む前記複数のウィンドウの表示を終了する制御部と、
を有することを特徴とする表示制御装置。
【発明の詳細な説明】
【技術分野】
【０００１】
本発明は、表示制御装置、表示制御方法、および表示制御プログラムに関する。
【背景技術】
【０００２】
従来、医療分野において、医師や事務員などにより作成された患者に関する複数の情報に誤りがないかの検査が行われる場合がある。この際、検査者は、例えば、患者に関する複数の情報の情報間の整合性などをチェックして、作成された情報に誤りがないかを検査する。
【０００３】
先行技術としては、例えば、動画・音声入力装置から得られた動画・音声情報を記録し、ネットワークに接続された複数の表示装置に表示された静止画情報を記録し、静止画情報の記録時に動画・音声情報に対する静止画情報の再生管理リストを作成するものがある。また、動画・音声情報や静止画情報を再生するに当たり、複数の静止画情報を同一画面に同時に再生表示できるように、表示装置の数に応じて再生画面の表示パターンを選択し、記録した時系列に応じて動画・音声情報と静止画情報を再生する技術がある。
【先行技術文献】
【特許文献】
【０００４】
【特許文献１】特開２００３−０８７７３５号公報
【特許文献２】特開２００３−０８７７５８号公報
【発明の概要】
【発明が解決しようとする課題】
【０００５】
しかしながら、従来技術によれば、画面内に患者に関する複数の情報を表示して検査する場合に、画面内に別の患者に関する情報が混在することにより、本来は関連のない情報間の整合性をチェックするなどの検査ミスを招く恐れがある。
【０００６】
１つの側面では、本発明は、検査者の検査ミスを防止することを目的とする。
【課題を解決するための手段】
【０００７】
本発明の一側面によれば、複数の検査対象のうちいずれか１の検査対象が選択されることに応じて表示した複数のウィンドウのうちいずれかのウィンドウについてウィンドウの表示を終了する指示を受け付けると、終了する指示を受け付けられた該ウィンドウを含む複数のウィンドウの表示を終了する表示制御装置、表示制御方法、および表示制御プログラムが提案される。
【発明の効果】
【０００８】
本発明の一態様によれば、検査者の検査ミスを防止することができるという効果を奏する。
【図面の簡単な説明】
【０００９】
【図１】図１は、本実施の形態にかかる表示制御方法の一実施例を示す説明図である。
【図２】図２は、検像支援システムの一例を示す説明図である。
【図３】図３は、コンピュータのハードウェアの一例を示すブロック図である。
【図４】図４は、電子カルテＤＢ２５１の記憶内容の一例を示す説明図である。
【図５】図５は、実施情報ＤＢ２６２の記憶内容の一例を示す説明図である。
【図６】図６は、技師端末２２０の機能的構成を示すブロック図である。
【図７】図７は、検像者によって撮像画像Ｐが検像されるまでの過程を示す説明図である。
【図８】図８は、診療支援装置２５０によりオーダ情報が記憶された電子カルテＤＢ２５１の記憶内容の一例を示す説明図である。
【図９】図９は、検像支援装置２６０によりオーダ情報が記憶された実施情報ＤＢ２６２の記憶内容の一例を示す説明図である。
【図１０】図１０は、検像支援装置２６０により撮像者が撮像時に留意した事項を示す情報が追加された実施情報ＤＢ２６２の記憶内容の一例を示す説明図である。
【図１１】図１１は、診療支援装置２５０により撮像画像Ｐのアドレスが追加された電子カルテＤＢ２５１の記憶内容の一例を示す説明図である。
【図１２】図１２は、技師端末２２０におけるオーダ情報一覧１１０の表示例である。
【図１３】図１３は、技師端末２２０における画像ビューア１３０と実施入力画面１２０との表示例を示す説明図である。
【図１４】図１４は、検像支援装置２６０の検像支援処理手順の一例を示すフローチャートである。
【図１５】図１５は、技師端末２２０における表示中の情報の表示終了処理の内容を示す説明図（その１）である。
【図１６】図１６は、技師端末２２０における表示中の情報の表示終了処理の内容を示す説明図（その２）である。
【図１７】図１７は、表示終了処理手順の一例を示すフローチャート（その１）である。
【図１８】図１８は、表示終了処理手順の一例を示すフローチャート（その２）である。
【発明を実施するための形態】
【００１０】
以下に添付図面を参照して、本発明にかかる表示制御装置、表示制御方法、および表示制御プログラムの実施の形態を詳細に説明する。
【００１１】
（表示制御方法の一実施例）
図１は、本実施の形態にかかる表示制御方法の一実施例を示す説明図である。図１において、表示制御装置１００は、検査者の検査作業を支援するコンピュータである。表示制御装置１００は、検査者が閲覧する画面１０１を有する。画面１０１は、１つであってもよいし、複数であってもよい。
【００１２】
ここで、検査作業とは、医師、診療放射線技師、臨床検査技師、事務員などの医療関係者により作成された患者に関する複数の情報に誤りがないかを検査する作業である。検査者は、例えば、患者に関する複数の情報の情報間の整合性などをチェックして、作成された情報に誤りがないかを検査する。
【００１３】
検査作業の一例としては、診療科医からの撮影指示に応じて撮像された撮像画像の検像作業がある。撮像画像とは、撮像者がモダリティ装置を用いて診療科医等からの撮像指示に応じて患者の撮像対象部位を撮像した画像である。モダリティ装置とは、医療用の画像を撮像するための機器であり、例えば、コンピュータＸ線撮影（ＣＲ：Ｃｏｍｐｕｔｅｄ  Ｒａｄｉｏｇｒａｐｈｙ）、ＣＴ（Ｃｏｍｐｕｔｅｄ  Ｔｏｍｏｇｒａｐｈｙ）、ＭＲＩ（Ｍａｇｎｅｔｉｃ  Ｒｅｓｏｎａｎｃｅ  Ｉｍａｇｉｎｅ）などに関する画像機器である。
【００１４】
撮像画像としては、例えば、ＣＲ画像、ＣＴ画像、ＭＲＩ画像などがある。撮像対象部位は、撮像が指示された患者の部位であり、例えば、患者の腕、胸部、腹部、脚部、皮膚などである。なお、撮像画像は、平面画像であってもよいし、立体画像であってもよい。
【００１５】
また、検像作業とは、撮像画像が撮影指示に適合するかの判断、撮像画像に対する編集やコメント情報の付与、撮像画像の表示順序の入れ替えなどを行う作業である。検像作業は、例えば、読影医の作業負荷を軽減するために、読影医が撮像画像を読影する前に、読影医とは異なる者により行われる。なお、読影医とは、患者のレントゲン画像やＣＴ画像などを読影して、患者の健康状態や病状を診断する医師である。
【００１６】
ここで、検像者が、撮像指示Ａに応じて患者の撮像対象部位を撮像した撮像画像αを検像するために、撮像画像αとともに撮像指示Ａに関する情報ａを表示して、撮像画像αが撮影指示Ａに適合するか判断する場合を想定する。この場合、検像者は、撮像画像αが撮影指示に適合するか判断することができる。
【００１７】
次に、検像者が、撮像画像αの検像が終了したため、別の撮像指示Ｂに応じて患者の撮像対象部位を撮像した撮像画像βを検像する場合を想定する。この際、検像者が、撮像画像αの表示は終了したものの撮像指示Ａに関する情報ａの表示を終了し忘れたまま、撮像画像βを検像するために、撮像画像βとともに撮像指示Ｂに関する情報ｂを表示してしまう場合がある。
【００１８】
この場合、検像者が閲覧する画面には、撮像画像βおよび撮像指示Ｂに関する情報ｂとともに、撮像指示Ａに関する情報ａが混在して表示されてしまう。この結果、検像者が、撮像画像βを検像する際に、撮像指示Ｂに関する情報ｂと取り違えて、撮像指示Ａに関する情報ａを参照してしまい、撮像画像βについて検像ミスしてしまう場合がある。
【００１９】
そこで、本実施の形態では、表示制御装置１００は、画面内に表示された検査対象に対応するそれぞれ異なる複数の情報のうちのいずれかの情報の表示を終了する指示があったら、複数の情報の表示を一括して終了させる。上述した例であれば、表示制御装置１００は、撮像指示に応じて撮像者により撮像された撮像画像と、撮像指示に関する情報と、のうちの一方の表示を終了した場合には、連動して他方の表示も終了する。以下、図１を用いて、表示制御装置１００による表示制御の内容について説明する。
【００２０】
まず、表示制御装置１００は、画面１０１に、オーダ情報一覧１１０を表示させる。オーダ情報一覧１１０は、診療科医によって発行された撮像指示を示すオーダ情報をリスト化した一覧である。オーダ情報は、例えば、検査種別、検査室、検査名、依頼コメント、依頼科などに関する情報を含む。なお、オーダ情報についての詳細な説明は、図４を用いて後述する。
【００２１】
ここで、検像者は、画面１０１に表示されたオーダ情報一覧１１０の中から、いずれかのオーダ情報を選択し、選択したオーダ情報に対応する撮像画像Ｐの検像を行う。検像者は、例えば、画面１０１に表示中のオーダ情報１１１の上にマウスカーソルＭＫが存在する状態で、マウスの第１ボタンを押下、いわゆる左クリックすることにより、オーダ情報を選択する。
【００２２】
表示制御装置１００は、選択されたオーダ情報が示す撮像指示に応じて撮像された撮像画像Ｐを画面１０１の画像ビューア１３０に表示させるとともに、撮像指示に関する情報を画面１０１の実施入力画面１２０に表示させる。撮像指示に関する情報とは、例えば、患者氏名、性別、年齢、検査種別、検査室、検査名、依頼コメント、依頼科などの情報である。撮像指示に関する情報は、例えば、図１の実施入力画面１２０の符号１２４の領域に表示される。
【００２３】
また、実施入力画面１２０には、撮像指示が発行された以降に作成された患者に関する情報として、患者の撮像対象部位についての撮像の際における撮像装置の設定情報、又は、撮像に関して入力された情報の少なくともいずれかの情報を表示してもよい。
【００２４】
撮像に関して入力された情報とは、例えば、撮像者による撮像作業を支援する情報や撮像者が撮像時に留意した事項を表す情報である。具体的には、例えば、診療科医によって撮像指示が発行された以降に撮像者や看護師などが患者を観察または患者と対話することによって得られた患者の状態に関する情報を含む。また他にも、撮像時に使用した造影剤などの薬品に関する情報を含んでもよい。また、患者の撮像対象部位についての撮像の際における撮像装置の設定情報は、例えば、患者の状態に関する情報をもとに撮像者がモダリティ装置に設定した撮像条件に関する情報や、患者の状態に関する情報をもとに撮像者が追加もしくは削除した患者の撮像対象部位に関する情報を含んでもよい。撮像指示が発行された以降に作成された患者に関する情報は、例えば、図１の符号１２１〜１２３の欄に表示される。
【００２５】
ここで、例えば、検像者は、実施入力画面１２０の終了指示を入力する。検像者は、例えば、画面１０１の実施入力画面１２０に表示中の終了ボタン１２５の上にマウスカーソルＭＫが存在する状態で、マウスの第１ボタンを押下（いわゆる左クリック）することにより、終了指示を入力する。表示制御装置１００は、実施入力画面１２０の終了指示を受け付けると、実施入力画面１２０の表示を終了するとともに、実施入力画面１２０と同じオーダ情報に関する画像ビューア１３０の表示も終了する。
【００２６】
また、例えば、検像者は、画像ビューア１３０の終了指示を入力する。検像者は、例えば、画面１０１の画像ビューア１３０に表示中の終了ボタン１３１の上にマウスカーソルＭＫが存在する状態で、マウスの第１ボタンを押下（いわゆる左クリック）することにより、終了指示を入力する。表示制御装置１００は、画像ビューア１３０の終了指示を受け付けると、画像ビューア１３０の表示を終了するとともに、画像ビューア１３０と同じオーダ情報に関する実施入力画面１２０の表示も終了する。
【００２７】
このように、表示制御装置１００は、画面内に表示された患者に関する複数の情報のうちのいずれかの情報の表示を終了する指示があったら、複数の情報の表示を一括して終了させることができる。これにより、検査者は、画面内に異なる検査対象の情報が混在する状況が回避されるため、検査ミスを防ぐことができる。
【００２８】
図１の例であれば、表示制御装置１００は、撮像指示に応じて撮像者により撮像された撮像画像と、撮像指示に関する情報と、のうちの一方の表示を終了した場合には、連動して他方の表示も終了することができる。従って、検像者は、異なる撮像指示に応じて撮像された撮像画像を取り違えたり、異なる撮像指示に関する情報を取り違えたりすることによる検像ミスを防止することができる。
【００２９】
（検像支援システムの一例）
次に、図２を用いて、本実施の形態にかかる検像支援システムの一例について説明する。ここでは、図１に示した表示制御装置１００を検証支援システムの技師端末に適用した場合を例に挙げて説明する。
【００３０】
図２は、検像支援システムの一例を示す説明図である。図２に示すように、検像支援システム２００は、診療科医端末２１０と、技師端末２２０と、モダリティ装置２３０と、読影医端末２４０と、診療支援装置２５０と、検像支援装置２６０と、を含む。
【００３１】
診療科医端末２１０と、技師端末２２０と、モダリティ装置２３０と、読影医端末２４０と、診療支援装置２５０と、検像支援装置２６０とは、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク２７０を介して接続されている。
【００３２】
診療科医端末２１０は、主に診療科医によって操作されるコンピュータである。診療科医端末２１０は、診療科医の操作によって、オーダ情報を診療支援装置２５０へ送信する。オーダ情報は、１または複数の撮像指示を示す情報である。
【００３３】
モダリティ装置２３０は、主に撮像者によって操作されるコンピュータである。モダリティ装置２３０としては、例えば、ＣＲ、ＣＴ、ＭＲＩ、ＲＩ（Ｒａｄｉｏｉｓｏｔｏｐｅ）画像、心血管撮影、多目的血管撮影（バイプレーン）、Ｘ線デジタル透視（ＤＲ）、マンモグラフィなどに関する画像機器がある。モダリティ装置２３０は、例えば、撮像者の操作によって、オーダ情報が示す診療科医からの撮像指示に応じて患者の撮像対象部位を撮像する。
【００３４】
技師端末２２０は、主に検像者によって操作されるコンピュータである。検像者とは、診療科医からの撮像指示に応じて撮像された撮像画像Ｐを検像する医療関係者である。技師端末２２０は、例えば、技師の操作によって、診療科医からの撮像指示に応じて撮像者によって撮像された撮像画像Ｐを検像支援装置２６０から取得して、画面に表示したり編集したりする。また、技師端末２２０は、看護師や受付事務職員などによって操作されてもよい。
【００３５】
読影医端末２４０は、主に読影医によって操作されるコンピュータである。読影医とは、診療科医からの撮像指示に応じて撮像された撮像画像Ｐに対する所見を作成する医師である。読影医端末２４０は、例えば、読影医から文字列が入力されることにより、所見文書データを作成する。
【００３６】
診療支援装置２５０は、電子カルテＤＢ（ＤａｔａＢａｓｅ）２５１を有する。電子カルテＤＢ２５１には、患者ＩＤごとに電子化されたカルテが記憶されている。患者ＩＤとは、患者ごとに設定されている識別番号である。また、電子カルテＤＢ２５１には、診療科医端末２１０から送信されたオーダ情報が記憶されている。電子カルテＤＢ２５１の詳細は、図４に後述する。また、診療支援装置２５０は、ソケット通信によって、オーダ情報を検像支援装置２６０に送信する。
【００３７】
検像支援装置２６０は、実施情報ＤＢ２６２と、画像ＤＢ２６１と、を有する。実施情報ＤＢ２６２には、オーダ番号ごとに、診療支援装置２５０から送信されたオーダ情報が記憶されている。オーダ番号は、診療科医によってオーダ情報が作成された際に設定される一意的な番号である。実施情報ＤＢ２６２の詳細は、図５に後述する。画像ＤＢ２６１には、モダリティ装置２３０から送信された撮像画像Ｐが記憶されている。
【００３８】
検像支援システム２００において、診療科医は、診療科医端末２１０を使用して、撮像指示を含むオーダ情報を診療支援装置２５０に送信して、オーダ情報を電子カルテＤＢ２５１に格納する。診療支援装置２５０は、電子カルテＤＢ２５１に記憶されたオーダ情報を検像支援装置２６０に送信して、オーダ情報を実施情報ＤＢ２６２に格納する。撮像者は、モダリティ装置２３０を使用して、実施情報ＤＢ２６２に記憶されたオーダ情報を参照して、撮像指示に応じて患者の撮像対象部位を撮像する。検像者は、技師端末２２０を使用して、撮像された撮像画像Ｐを検像する。
【００３９】
（コンピュータのハードウェアの一例）
次に、検像支援装置として使用されるコンピュータのハードウェアの一例について説明する。
【００４０】
図３は、コンピュータのハードウェアの一例を示すブロック図である。図３において、コンピュータ３００は、プロセッサ３０１と、ＲＯＭ３０２と、ＲＡＭ３０３と、Ｉ／Ｆ３０４と、を有する。プロセッサ３０１と、ＲＯＭ３０２と、ＲＡＭ３０３と、Ｉ／Ｆ３０４とは、バス３１０に接続されている。
【００４１】
プロセッサ３０１は、コンピュータの全体の制御を司る。また、プロセッサ３０１は、ＲＯＭ３０２に記憶されている各種プログラム、例えば、ＯＳ（Ｏｐｅｒａｔｉｎｇ  Ｓｙｓｔｅｍ）や本実施の形態の表示制御プログラムを実行することで、ＲＯＭ３０２やＲＡＭ３０３のデータを読み出したり、実行結果となるデータをＲＯＭ３０２やＲＡＭ３０３に書き込んだりする。
【００４２】
ＲＯＭ３０２は、各種プログラム、例えば、ＯＳや本実施の形態の表示制御プログラムを記憶する。ＲＡＭ３０３は、プロセッサ３０１のワークエリアとして使用され、各種データ、例えば、各種プログラムの実行により得られたデータを記憶する。Ｉ／Ｆ３０４は、ネットワーク２７０を介して外部からデータを受信したり、外部にデータを送信したりするインターフェースである。また、コンピュータ３００は、上述したハードウェアのほかに、例えば、磁気ディスクドライブ、磁気ディスク、光ディスクドライブ、光ディスク、ディスプレイ（例えば、液晶ディスプレイやプラズマディスプレイなど）、キーボード、マウスなどを有することにしてもよい。コンピュータ３００は、例えば、サーバである。また、図３に示したコンピュータ３００は、診療支援装置２５０として使用してもよい。
【００４３】
また、図３に示したコンピュータ３００は、診療科医端末２１０、技師端末２２０、および読影医端末２４０として使用してもよい。この場合、コンピュータ３００は、ディスプレイ（例えば、液晶ディスプレイやプラズマディスプレイなど）、キーボード、マウス、スキャナ、プリンタ（例えば、レーザプリンタやインクジェットプリンタ）を有していてもよい。なお、ディスプレイ、キーボード、マウス、スキャナ、およびプリンタの少なくともいずれか１つは、なくてもよい。この場合、コンピュータ３００は、例えば、ノート型パソコン、デスクトップ型パソコン、携帯電話機（スマートフォン、ＰＨＳ（Ｐｅｒｓｏｎａｌ  Ｈａｎｄｙｐｈｏｎｅ  Ｓｙｓｔｅｍ））またはタブレット型端末である。
【００４４】
（電子カルテＤＢ２５１の記憶内容）
次に、図４を用いて、電子カルテＤＢ２５１の記憶内容について説明する。電子カルテＤＢ２５１は、例えば、診療支援装置２５０のＲＯＭ３０２、ＲＡＭ３０３などの記憶装置により実現される。
【００４５】
図４は、電子カルテＤＢ２５１の記憶内容の一例を示す説明図である。図４において、電子カルテＤＢ２５１は、オーダ番号、患者ＩＤ、氏名、性別、年齢、検査種別、検査室、検査名、依頼コメント、依頼科、撮像日時、画像ポインタ、および状態のフィールドを有する。各フィールドに情報を設定することで、電子カルテ特性データ４００−１〜４００−ｍがレコードとして記憶されている。
【００４６】
ここで、オーダ番号は、診療科医によって撮像指示が発行された際に設定される一意的な番号である。患者ＩＤとは、患者ごとに設定されている識別番号である。氏名は、撮像指示された患者の姓名である。性別は、患者の性をあらわす種別である。年齢は、患者が生まれてから経過した年数を示す数値である。検査種別は、診療科医から撮像指示された撮像内容であり、撮像方法の種別である。撮像方法とは、例えば、血管造影、単純撮影、透視検査などである。
【００４７】
検査室は、診療科医から撮像指示された撮像内容であり、撮像する場所である。検査名は、診療科医から撮像指示された撮像内容であり、撮像対象部位と撮像方法の詳細情報とである。撮像対象部位とは、患者を撮影する位置や部位を示し、例えば、頭部、胸部、腹部、などである。撮像方法の詳細とは、例えば、ＣＴ、ＭＲＩなどである。依頼コメントは、診療科医が撮像指示に付与したコメントであり、例えば、撮像指示の目的である。依頼科は、撮像指示した診療科医の所属する科である。
【００４８】
オーダ番号、患者ＩＤ、氏名、性別、年齢、検査種別、検査室、検査名、依頼コメント、依頼科は、例えば、診療科医端末２１０が診療科医の操作により受け付けた撮像指示を示すオーダ情報であって、診療科医端末２１０から診療支援装置２５０へ送信され、記憶される。
【００４９】
撮像日時は、診療科医からの撮像指示に応じて撮像者によって患者の撮像対象部位が撮像された日時である。画像ポインタは、診療科医からの撮像指示に応じて撮像者によって患者の撮像対象部位が撮像された撮像画像Ｐが格納されている画像ＤＢ２６１内のアドレスを示している。撮像日時、画像ポインタは、例えば、検像支援装置２６０によって撮像画像Ｐが記憶された場合に、検像支援装置２６０から診療支援装置２５０へ送信され、記憶される。
【００５０】
状態は、診療科医から発行された撮像指示の処理状態である。状態は、診療科医から発行された撮像指示を示すオーダ情報が記憶された時点で「未実施」となり、撮像指示に応じた撮像画像が記憶された時点で「実施済」となり、検像者によって撮像画像が検像された時点で「送信済」となる。
【００５１】
一例として、電子カルテ特性データ４００−１を例に挙げる。電子カルテ特性データ４００−１は、診療科医から発行された撮像指示を示すオーダ情報が記憶された時点でのデータである。例えば、電子カルテ特性データ４００−１として、オーダ番号「＃００００００００１」、患者ＩＤ「００００００００１」、氏名「トウキョウ  キョウコ」、性別「女」、年齢「５４」が記憶されている。また、電子カルテ特性データ４００−１として、検査種別「血管造影」、検査室「手術室３」、検査名「左心室」、依頼コメント「狭心症の疑い」、依頼科「内科」、状態「未実施」が記憶されている。この時点では、撮像指示に応じた撮像画像が記憶されていないため、撮像日時、画像ポインタは記憶されていない。
【００５２】
（実施情報ＤＢ２６２の記憶内容）
次に、図５を用いて、実施情報ＤＢ２６２の記憶内容について説明する。実施情報ＤＢ２６２は、例えば、検像支援装置２６０のＲＯＭ３０２、ＲＡＭ３０３などの記憶装置により実現される。
【００５３】
図５は、実施情報ＤＢ２６２の記憶内容の一例を示す説明図である。図５において、実施情報ＤＢ２６２は、オーダ番号、患者ＩＤ、氏名、性別、年齢、検査種別、検査室、検査名、依頼コメント、依頼科、撮像日時、撮像条件、患者状態、およびコメントのフィールドを有する。各フィールドに情報を設定することで、実施情報特性データ５００−１〜５００−ｎがレコードとして記憶されている。
【００５４】
ここで、オーダ番号、患者ＩＤ、氏名、性別、年齢、検査種別、検査室、検査名、依頼コメント、依頼科は、診療支援装置２５０から送信された電子カルテＤＢ２５１のデータのうちのオーダ情報である。オーダ情報は、図４を用いて説明したため、ここでは説明を省略する。オーダ番号、患者ＩＤ、氏名、性別、年齢、検査種別、検査室、検査名、依頼コメント、依頼科は、例えば、診療支援装置２５０から検像支援装置２６０に送信され、記憶される。
【００５５】
撮像日時は、診療科医からの撮像指示に応じて撮像者によって患者の撮像対象部位が撮像された日時である。撮像条件は、撮像時のモダリティ装置２３０の設定である。患者状態は、撮像時の患者の状態である。コメントは、オーダ番号ごとに記憶されているコメントの文字列である。撮像日時、撮像条件、患者状態、コメントは、検像支援装置２６０がモダリティ装置２３０から撮像画像を含むデータを受信する際に記憶される。
【００５６】
一例として、実施情報特性データ５００−１を例に挙げる。実施情報特性データ５００−１は、診療支援装置２５０から電子カルテＤＢ２５１のデータが検像支援装置２６０に送信され、記憶された時点でのデータである。例えば、実施情報特性データ５００−１として、オーダ番号「＃００００００００１」、患者ＩＤ「００００００００１」、氏名「トウキョウ  キョウコ」、性別「女」、年齢「５４」が記憶されている。また、実施情報特性データ５００−１として、検査種別「血管造影」、検査室「手術室３」、検査名「左心室」、依頼コメント「狭心症の疑い」、依頼科「内科」が記憶されている。この時点では、撮像指示に応じた撮像画像が記憶されていないため、撮像日時、撮像条件、患者状態、コメントは記憶されていない。
【００５７】
（技師端末２２０の機能的構成例）
次に、図６を用いて、技師端末２２０の機能的構成例について説明する。図６は、技師端末２２０の機能的構成を示すブロック図である。技師端末２２０は、受付部６０１と制御部６０２とを含む。
【００５８】
受付部６０１と制御部６０２とは、例えば、図３に示したＲＯＭ３０２やＲＡＭ３０３などの記憶装置に記憶されたプログラムをプロセッサ３０１に実行させることにより、または、Ｉ／Ｆ３０４により、その機能を実現する。
【００５９】
受付部６０１は、複数の検査対象のうちいずれか１の検査対象に対応する情報の表示要求を受け付ける。検査対象とは、例えば、患者の撮像対象部位を撮像した撮像画像Ｐである。患者とは、被写体である生体である。被写体である生体は、人であってもよいし、人以外の動物であってもよい。撮像対象部位とは、撮像指示によって指定された部位であって、患者の体内であってもよいし、患者の皮膚などであってもよい。また、撮像画像Ｐは、平面画像であってもよいし、立体画像であってもよい。撮像画像Ｐとしては、例えば、ＣＲ、ＣＴ、ＭＲＩ、ＲＩ、心血管撮影、バイプレーン、ＤＲ、マンモグラフィなどの画像である。
【００６０】
検査対象に対応する情報とは、検査対象の情報と、検査対象の検査を支援する情報と、である。検査対象の情報とは、例えば、撮像画像Ｐのデータである。検査対象の検査を支援する情報とは、例えば、実施情報ＤＢ２６２の情報特性データであって、撮像指示に関する情報と撮像指示が発行された以降に作成された患者に関する情報である。撮像指示とは、患者の撮像対象部位を指定し、撮像者に患者の撮像対象部位を撮像させるための情報である。撮像指示に関する情報とは、例えば、患者氏名、性別、年齢、検査種別、検査室、検査名、依頼コメント、依頼科などの情報である。
【００６１】
撮像指示が発行された以降に作成された患者に関する情報とは、例えば、患者の撮像対象部位についての撮像の際における撮像装置の設定情報、又は、撮像に関して入力された情報の少なくともいずれかの情報である。撮像に関して入力された情報とは、例えば、撮像者による撮像作業を支援する情報や撮像者が撮像時に留意した事項を表す情報である。具体的には、例えば、診療科医によって撮像指示が発行された以降に撮像者や看護師などが患者を観察または患者と対話することによって得られた患者の状態に関する情報を含む。また他にも、撮像時に使用した造影剤などの薬品に関する情報を含んでもよい。また、患者の撮像対象部位についての撮像の際における撮像装置の設定情報は、例えば、患者の状態に関する情報をもとに撮像者がモダリティ装置２３０に設定した撮像条件に関する情報や、患者の状態に関する情報をもとに撮像者が追加もしくは削除した患者の撮像対象部位に関する情報を含んでもよい。
【００６２】
また、撮像指示が発行された以降に作成された患者に関する情報は、撮像者が入力した情報であってもよいし、撮像者以外が入力した情報であって撮像時に撮像者によって参照された情報であってもよい。撮像者以外とは、例えば、看護師や受付事務職員などであってもよい。
【００６３】
受付部６０１は、例えば、検像者の操作によるオーダ情報一覧１１０の中からのオーダ情報の選択を、オーダ情報が示す撮像指示に応じて撮像者によって撮像された撮像画像Ｐに対応する情報の表示要求として受け付ける。受け付けたデータは、ＲＡＭ３０３などの記憶領域に記憶される。これにより、技師端末２２０は、オーダ情報を検像支援装置２６０に通知して、ディスプレイに表示する撮像画像Ｐや撮像指示が発行された以降に作成された患者に関する情報を取得することができる。
【００６４】
制御部６０２は、受付部６０１によって表示要求が受け付けられた場合に、複数のウィンドウの各々のウィンドウに、検査対象に対応するそれぞれ異なる情報を表示させる。複数のウィンドウは、例えば、患者の撮像対象部位が指定された撮像指示に応じて撮像された撮像画像Ｐが表示される第１のウィンドウと、撮像指示に関する情報が表示される第２のウィンドウと、を含む。第１のウィンドウとは、例えば、上述した画像ビューア１３０である。第２のウィンドウとは、例えば、上述した実施入力画面１２０である。第１のウィンドウと第２のウィンドウとは、同一のディスプレイ内のウィンドウであってもよいし、異なるディスプレイ内のウィンドウであってもよい。
【００６５】
制御部６０２は、例えば、受付部６０１によって撮像指示に応じて撮像者によって撮像された撮像画像Ｐの表示要求が受け付けられた場合、表示要求を検像支援装置２６０に送信する。そして、制御部６０２は、送信した結果、検像支援装置２６０から受信した撮像画像Ｐを画像ビューア１３０に表示するとともに、検像支援装置２６０から受信した前記患者の撮像対象部位についての撮像の際における撮像装置の設定情報、又は、撮像に関して入力された情報の少なくともいずれかの情報を実施入力画面１２０に表示する。これにより、検像者は、検査対象の検査を効率化することができる。
【００６６】
受付部６０１は、複数の検査対象のうちいずれか１の検査対象が選択されることに応じて表示した複数のウィンドウのうちいずれかのウィンドウについてウィンドウの表示を終了する指示を受け付ける。受付部６０１は、例えば、検像者の操作により、画像ビューア１３０の表示終了指示を受け付ける。
【００６７】
制御部６０２は、受付部６０１によってウィンドウの表示を終了する指示を受け付けられた該ウィンドウを含む複数のウィンドウの表示を終了する。制御部６０２は、例えば、受付部６０１によって表示終了指示が受け付けられた画像ビューア１３０の表示を終了するとともに、実施入力画面１２０の表示を終了する。また、受付部６０１は、例えば、検像者の操作により、実施入力画面１２０の表示終了指示を受け付けてもよい。この場合、制御部６０２は、受付部６０１によって表示終了指示が受け付けられた実施入力画面１２０の表示を終了するとともに、画像ビューア１３０の表示を終了する。
【００６８】
これにより、技師端末２２０は、画面内に表示された検査対象に対応するそれぞれ異なる複数の情報のうちのいずれかの情報の表示を終了する指示があったら、複数の情報の表示を一括して終了させることができる。これにより、検査者は、画面内に異なる検査対象の情報が混在する状況が回避されるため、検査ミスを防ぐことができる。
【００６９】
図１の例であれば、技師端末２２０は、撮像指示に応じて撮像者により撮像された撮像画像Ｐと、撮像指示が発行された以降に作成された患者に関する情報と、のうちの一方の表示を終了した場合には、連動して他方の表示も終了することができる。従って、検像者は、異なる撮像指示に応じて撮像された撮像画像Ｐを取り違えたり、異なる撮像指示に関する撮像指示が発行された以降に作成された患者に関する情報を取り違えたりすることによる検像ミスを防止することができる。
【００７０】
（検像者が撮像画像Ｐを検像するまでの過程）
次に、図７〜図１３を用いて、検像者が撮像画像Ｐを検像するまでの過程について説明する。
【００７１】
図７は、検像者によって撮像画像Ｐが検像されるまでの過程を示す説明図である。図７に示すように、（１）診療科医端末２１０は、診療科医の操作により、撮像者に対する撮像指示を示すオーダ情報を診療支援装置２５０に送信する。診療支援装置２５０は、受信したオーダ情報を、電子カルテＤＢ２５１に記憶する。ここで、図８を用いて、診療支援装置２５０によりオーダ情報が記憶された電子カルテＤＢ２５１の記憶内容の一例について説明する。
【００７２】
＜オーダ情報が記憶された電子カルテＤＢ２５１の記憶内容＞
図８は、診療支援装置２５０によりオーダ情報が記憶された電子カルテＤＢ２５１の記憶内容の一例を示す説明図である。図８に示すように、電子カルテＤＢ２５１には、オーダ情報をもとに、電子カルテ特性データ８００−１が記憶される。
【００７３】
例えば、電子カルテ特性データ８００−１として、オーダ番号「＃００００００００１」、患者ＩＤ「００００００００１」、氏名「トウキョウ  キョウコ」、性別「女」、年齢「５４」が記憶される。また、電子カルテ特性データ８００−１として、検査種別「血管造影」、検査室「手術室３」、検査名「左心室」、依頼コメント「狭心症の疑い」、依頼科「内科」、状態「未実施」が記憶される。この時点では、撮像者による撮像作業が行われていないため、撮像日時、画像ポインタは記憶されていない。
【００７４】
図７の説明に戻り、（２）診療支援装置２５０は、図８のように電子カルテＤＢ２５１を更新すると、ソケット間通信によって、検像支援装置２６０に電子カルテＤＢ２５１のデータのうちのオーダ情報を送信する。検像支援装置２６０は、受信したオーダ情報を、実施情報ＤＢ２６２に記憶する。ここで、図９を用いて、検像支援装置２６０によりオーダ情報が記憶された実施情報ＤＢ２６２の記憶内容の一例について説明する。
【００７５】
＜オーダ情報が記憶された実施情報ＤＢ２６２の記憶内容の一例＞
図９は、検像支援装置２６０によりオーダ情報が記憶された実施情報ＤＢ２６２の記憶内容の一例を示す説明図である。図９に示すように、実施情報ＤＢ２６２には、オーダ情報をもとに、実施情報特性データ９００−１が記憶される。
【００７６】
例えば、実施情報特性データ９００−１として、オーダ番号「＃００００００００１」、患者ＩＤ「００００００００１」、氏名「トウキョウ  キョウコ」、性別「女」、年齢「５４」が記憶されている。また、実施情報特性データ９００−１として、検査種別「血管造影」、検査室「手術室３」、検査名「左心室」、依頼コメント「狭心症の疑い」、依頼科「内科」が記憶されている。この時点では、撮像指示に応じた撮像画像が記憶されていないため、撮像日時、撮像条件、患者状態、コメントは記憶されていない。
【００７７】
図７の説明に戻り、（３）撮像者は、実施情報ＤＢ２６２にオーダ情報が登録されると、モダリティ装置２３０を使用して、オーダ情報が示す撮像指示に応じた患者の撮像部位を撮像する。また、撮像者は、撮像時に留意した事項があれば、モダリティ装置２３０を使用して、撮像時に留意した事項に関する情報を作成する。
【００７８】
（４）モダリティ装置２３０は、撮像者の操作によって、オーダ情報に含まれるオーダ番号「＃００００００００１」と対応付けて、撮像した撮像画像Ｐを検像支援装置２６０に送信する。また、モダリティ装置２３０は、撮像者の操作によって、オーダ情報に含まれるオーダ番号「＃００００００００１」と対応付けて、撮像者が撮像時に留意した事項を示す情報を検像支援装置２６０に送信する。
【００７９】
検像支援装置２６０は、受信したオーダ番号「＃００００００００１」に対応付けられた撮像画像Ｐを、画像ＤＢ２６１に記憶する。また、検像支援装置２６０は、受信したオーダ番号「＃００００００００１」に対応付けられた撮像者が撮像時に留意した事項を示す情報を、実施情報ＤＢ２６２のオーダ番号「＃００００００００１」の実施情報特性データに追加する。
【００８０】
また、（１）において撮像指示が発行された以降、（３）において撮像者によって患者の撮像対象部位が撮像される前に、受付事務職員や看護師などが患者を観察しまたは患者と対話することにより患者に関する情報を特定している場合がある。この場合は、受付事務職員や看護師などは、技師端末２２０を使用して、特定した患者に関する情報を実施情報ＤＢ２６２のオーダ番号「＃００００００００１」の実施情報特性データに追加しておいてもよい。
【００８１】
そして、（３）において、撮像者は、受付事務職員や看護師などにより特定された患者に関する情報のうちで撮像者が撮像時に留意した情報を特定する情報を作成して、実施情報ＤＢ２６２のオーダ番号「＃００００００００１」の実施情報特性データに追加してもよい。これにより、検像者は、受付事務職員や看護師などにより特定された患者に関する情報と、撮像者が撮像時に留意した情報を特定する情報と、により撮像者が撮像時に留意した情報を把握することができる。
【００８２】
また、（３）において、撮像者は、受付事務職員や看護師などにより特定された患者に関する情報のうちで撮像時に留意した情報を、実施情報ＤＢ２６２のオーダ番号「＃００００００００１」の実施情報特性データに残しておいてもよい。他方で、撮像者は、受付事務職員や看護師などにより特定された患者に関する情報のうちで撮像時に留意しなかった情報を、実施情報ＤＢ２６２のオーダ番号「＃００００００００１」の実施情報特性データから削除してもよい。
【００８３】
これにより、検像者は、受付事務職員や看護師などにより特定された患者に関する情報のうち、実施情報特性データに残っている情報を撮像者が撮像時に留意した情報として把握することができる。ここで、図１０を用いて、検像支援装置２６０により撮像者が撮像時に留意した事項を示す情報が追加された実施情報ＤＢ２６２の記憶内容の一例について説明する。
【００８４】
＜撮像時に留意した事項を示す情報が追加された実施情報ＤＢ２６２の記憶内容＞
図１０は、検像支援装置２６０により撮像者が撮像時に留意した事項を示す情報が追加された実施情報ＤＢ２６２の記憶内容の一例を示す説明図である。図１０に示すように、実施情報ＤＢ２６２において、オーダ番号「＃００００００００１」の実施情報特性データ９００−１に、撮像者が撮像時に留意した事項を示す情報が追加される。
【００８５】
例えば、実施情報特性データ９００−１に、撮像日時「２０１２／０６／０６  ００：００：００」、撮像条件「フィルムレス」、患者状態「造影剤にアレルギーがあります。」、コメント「造影剤を使用しませんでした。」が追加される。
【００８６】
図７に戻り、（５）検像支援装置２６０は、撮像画像Ｐが画像ＤＢ２６１に記憶されると、ソケット間通信によって、診療支援装置２５０にオーダ番号「＃００００００００１」と対応付けて、撮像画像Ｐのアドレスを送信する。診療支援装置２５０は、受信したオーダ番号「＃００００００００１」に対応付けられた撮像画像Ｐのアドレスを、電子カルテＤＢ２５１のオーダ番号「＃００００００００１」の電子カルテ特性データに追加する。ここで、図１１を用いて、診療支援装置２５０により撮像画像Ｐのアドレスが追加された電子カルテＤＢ２５１の記憶内容の一例について説明する。
【００８７】
＜撮像画像Ｐのアドレスが追加された電子カルテＤＢ２５１の記憶内容＞
図１１は、診療支援装置２５０により撮像画像Ｐのアドレスが追加された電子カルテＤＢ２５１の記憶内容の一例を示す説明図である。図１１に示すように、電子カルテＤＢ２５１には、オーダ番号「＃００００００００１」の電子カルテ特性データ８００−１に、撮像画像Ｐのアドレスが追加される。
【００８８】
例えば、電子カルテ特性データ８００−１に、撮像日時「２０１２／０６／０６  ００：００：００」、画像ポインタ「ｇ／２０１１／２／１／ｃｔ／＃１〜ｇ／２０１１／２／１／ｃｔ／＃３」が追加される。また、電子カルテ特性データ８００−１において、状態「未実施」は、状態「実施済」に変更される。
【００８９】
図７に戻り、（６）検像支援装置２６０は、診療支援装置２５０から電子カルテＤＢ２５１の電子カルテ特性データを取得し、電子カルテ特性データのうちのオーダ情報をリスト化したオーダ情報一覧１１０を技師端末２２０に表示させる。技師端末２２０は、検像者からのオーダ情報の選択を待つ。ここで、図１２を用いて、技師端末２２０におけるオーダ情報一覧１１０の表示例について説明する。
【００９０】
＜技師端末２２０におけるオーダ情報一覧１１０の表示例＞
図１２は、技師端末２２０におけるオーダ情報一覧１１０の表示例である。図１２に示すように、技師端末２２０は、ディスプレイＤ１と、ディスプレイＤ２と、キーボードＫと、マウスＭと、を有する。
【００９１】
ここで、ディスプレイＤ１は、電子カルテ特性データをリスト化したオーダ情報一覧１１０や実施情報特性データを表示する表示装置である。ディスプレイＤ１において、オーダ情報一覧１１０と、実施情報特性データと、が同時に表示されている場合には、オーダ情報一覧１１０と、実施情報特性データと、の表示は、検像者によるタスクバーの操作によって切り替えられる。一方で、ディスプレイＤ２は、ディスプレイＤ１よりも解像度が高く、撮像画像Ｐを表示する表示装置である。撮像画像Ｐとは、検像の対象の画像であり、被写体である生体の画像である。
【００９２】
また、キーボードＫおよびマウスＭは、検像者からの操作を受けて、技師端末２２０に情報を入力する入力装置である。キーボードＫおよびマウスＭは、ディスプレイＤ２に表示される撮像画像Ｐを操作する（例えば、撮像画像Ｐを拡大し、縮小し、入れ替え、または撮像画像Ｐを編集する）際に、技師によって使用される。
【００９３】
図１２において、検像支援装置２６０は、技師端末２２０にオーダ情報一覧１１０を表示させる。検像者は、表示されたオーダ情報一覧１１０の中から、いずれかのオーダ情報を選択し、選択したオーダ情報に対応する撮像画像Ｐの検像を行う。図１２の例では、検像者は、例えば、図中のオーダ情報１２００を選択したとする。
【００９４】
図７に戻り、（７）技師端末２２０は、検像者によりオーダ情報が選択された場合、選択されたオーダ情報のオーダ番号「＃００００００００１」を含み、オーダ番号「＃００００００００１」に対応付けられた撮像画像Ｐの表示を要求する表示要求を作成する。次に、技師端末２２０は、作成した表示要求を、検像支援装置２６０に送信する。検像支援装置２６０は、画像ＤＢ２６１を参照して、表示要求されたオーダ番号「＃００００００００１」に対応付けられた撮像画像Ｐのアドレスから撮像画像Ｐを取得し、技師端末２２０に送信して、画像ビューア１３０に表示させる。
【００９５】
また、検像支援装置２６０は、実施情報ＤＢ２６２を参照して、表示要求されたオーダ番号「＃００００００００１」に対応付けられた実施情報特性データを取得して、技師端末２２０に送信して、実施入力画面１２０に表示させる。ここで、図１３を用いて、技師端末２２０における画像ビューア１３０と実施入力画面１２０との表示例について説明する。
【００９６】
＜技師端末２２０における画像ビューア１３０と実施入力画面１２０との表示例＞
図１３は、技師端末２２０における画像ビューア１３０と実施入力画面１２０との表示例を示す説明図である。
【００９７】
図１３において、検像支援装置２６０は、技師端末２２０にオーダ番号「＃００００００００１」に対応付けられた撮像画像Ｐを表示させるとともに、オーダ番号「＃００００００００１」に対応付けられた実施情報特性データを表示させる。
【００９８】
図１３の例では、患者の状態に関する情報として、「アレルギーにより造影剤不使用」が、実施入力画面１２０のコメント欄１２１に表示されている。また、撮像者がモダリティ装置２３０に設定した撮像条件に関する情報として、「フィルムレス」などが、実施入力画面の撮像条件欄１２２に表示されている。また、患者の状態に関する情報として、撮像者が追加もしくは削除した患者の撮像対象部位に関する情報が、実施入力画面１２０のコメント欄１２１に表示されていてもよい。また、撮像時に使用した造影剤などの薬品に関する情報が、実施入力画面の付帯事項欄１２３に表示されていてもよい。
【００９９】
ここで、例えば、画像ビューア１３０に表示されている撮像画像Ｐにおいて撮像対象部位の影が薄かったとする。この場合には、検像者は、実施入力画面１２０のコメント欄１２１の「アレルギーにより造影剤不使用」を参照することにより、撮像画像Ｐにおいて撮像対象部位の影が薄かった原因を把握し、造影剤を使用した再撮像が困難であると判断する。
【０１００】
次に、検像者は、技師端末２２０を使用して、撮像画像Ｐを読影医が読影しやすいように編集する。そして、検像者は、技師端末２２０を使用して、編集後の撮像画像Ｐで、画像ＤＢ２６１の撮像画像Ｐを上書きする。読影医は、検像者により撮像画像Ｐが検像された後に、読影医端末２４０を使用して、上書きされた撮像画像Ｐを取得して読影する。
【０１０１】
これにより、検像者は、撮像者が撮像時に留意した患者の状態等の事項を把握することができる。そのため、検像者は、撮像指示に適合しない撮像画像Ｐについて、撮像者が患者の状態を留意して撮像した結果、結果的に撮像指示に適合しない画像になったのか、撮像者のミスにより撮像指示に適合しない画像になったのかを判断することができる。
【０１０２】
従って、検像者は、撮像画像Ｐが撮像指示に適合しなくても、撮像者が患者の状態を留意して撮像した結果、結果的に撮像指示に適合しない画像になった場合であって、再撮像の指示が不要であると判定した場合には、再撮像の指示を発行しない。これにより、検像者は、不要な再撮像の指示を発行せず、作業負担を低減することができる。一方で、撮像者は、不要な再撮像の指示が発行されないため不要な再撮像の指示に対して応答しなくてよく、作業負担を低減することができる。また、読影医による撮像画像Ｐの読影作業の開始が遅延することを防止することができる。
【０１０３】
ここで、技師端末２２０は、検像支援装置２６０にオーダ番号を送信した結果として表示した実施入力画面１２０と画像ビューア１３０とを一括して表示終了できるようにしておいてもよい。技師端末２２０による表示終了については、図１５および図１６を用いて説明する。
【０１０４】
（検像支援装置２６０の検像支援処理手順）
次に、図１４を用いて、検像支援装置２６０の検像支援処理手順について説明する。検像支援処理手順は、図７の（６）および（７）の動作を実現する処理である。
【０１０５】
図１４は、検像支援装置２６０の検像支援処理手順の一例を示すフローチャートである。図１４において、検像支援装置２６０は、オーダ番号を含む撮像画像Ｐの表示要求を受け付けたか否かを判定する（ステップＳ１４０１）。ここで、オーダ番号を含む撮像画像Ｐの表示要求を受け付けていない場合（ステップＳ１４０１：Ｎｏ）、検像支援装置２６０は、ステップＳ１４０１に戻る。
【０１０６】
一方、撮像画像Ｐの表示要求を受け付けた場合（ステップＳ１４０１：Ｙｅｓ）、検像支援装置２６０は、表示要求に含まれていたオーダ番号をキーにして、画像ＤＢ２６１から表示要求された撮像画像Ｐを取得する（ステップＳ１４０２）。次に、検像支援装置２６０は、技師端末２２０に、取得した撮像画像Ｐを送信し、画像ビューア１３０に表示させる（ステップＳ１４０３）。
【０１０７】
そして、検像支援装置２６０は、実施入力画面１２０を表示させるか否かを判定する（ステップＳ１４０４）。ここで、実施入力画面１２０を表示させない場合（ステップＳ１４０４：Ｎｏ）、検像支援装置２６０は、検像支援処理を終了する。
【０１０８】
一方、実施入力画面１２０を表示させる場合（ステップＳ１４０４：Ｙｅｓ）、検像支援装置２６０は、表示要求に含まれていたオーダ番号をキーにして、実施情報ＤＢ２６２からオーダ番号に対応付けられた実施情報特性データを取得する（ステップＳ１４０５）。次に、検像支援装置２６０は、実施情報特性データが取得できたか否かを判定する（ステップＳ１４０６）。
【０１０９】
ここで、取得できなかった場合（ステップＳ１４０６：Ｎｏ）、検像支援装置２６０は、技師端末２２０にエラーメッセージを出力させて（ステップＳ１４０７）、検像支援処理を終了する。一方、取得できた場合（ステップＳ１４０６：Ｙｅｓ）、検像支援装置２６０は、技師端末２２０に、取得した実施情報特性データを送信して、実施入力画面１２０に表示させて（ステップＳ１４０８）、検像支援処理を終了する。
【０１１０】
これにより、検像者は、撮像者が撮像時に留意した患者の状態等の事項を把握することができる。そのため、検像者は、撮像指示に適合しない撮像画像Ｐについて、撮像者が患者の状態を留意して撮像した結果、結果的に撮像指示に適合しない画像になったのか、撮像者のミスにより撮像指示に適合しない画像になったのかを判断することができる。
【０１１１】
従って、検像者は、撮像画像Ｐが撮像指示に適合しなくても、撮像者が患者の状態を留意して撮像した結果、結果的に撮像指示に適合しない画像になった場合であって、再撮像の指示が不要であると判定した場合には、再撮像の指示を発行しない。これにより、検像者は、不要な再撮像の指示を発行せず、作業負担を低減することができる。一方で、撮像者は、不要な再撮像の指示が発行されないため不要な再撮像の指示に対して応答しなくてよく、作業負担を低減することができる。また、読影医による撮像画像Ｐの読影作業の開始が遅延することを防止することができる。
【０１１２】
ここで、検像支援装置２６０は、技師端末２２０に、オーダ番号と対応付けて実施入力画面１２０と画像ビューア１３０との組み合わせを特定する情報を記憶させておいてもよい。検像支援装置２６０は、技師端末２２０に、実施入力画面１２０を、画像ビューア１３０からの呼び出し関数として表示させてもよい。また、検像支援装置２６０は、技師端末２２０に、実施入力画面１２０と画像ビューア１３０とのプロセスＩＤを記憶させておいてもよい。
【０１１３】
（技師端末２２０における表示中の情報の表示終了処理）
次に、図１５および図１６を用いて、技師端末２２０における表示中の情報の表示終了処理の内容について説明する。
【０１１４】
図１５および図１６は、技師端末２２０における表示中の情報の表示終了処理の内容を示す説明図である。ここで、図１３において、技師端末２２０は、例えば、検像支援装置２６０に送信したオーダ番号と、オーダ番号を送信した結果として表示した実施入力画面１２０と画像ビューア１３０とのプロセスＩＤとを対応付けて記憶しておいたとする。次に、図１５の説明に移行する。
【０１１５】
図１５に示すように、検像者は、表示中の撮像画像Ｐを検像し終えると、表示中の撮像画像Ｐとは異なる他の撮像画像Ｐを検像するために、技師端末２２０を操作して、表示中の実施入力画面１２０の表示を終了しようとする。技師端末２２０は、検像者の操作により、実施入力画面１２０に表示中の情報の表示終了指示を受け付ける。
【０１１６】
技師端末２２０は、例えば、検像者のマウスＭの操作により、マウスカーソルＭＫが実施終了画面の終了ボタン１５００の上にある場合にマウスＭの第１ボタンが押下されたことを、表示終了の指示として受け付ける。また、技師端末２２０は、技師のキーボードＫの操作により、実施終了画面の終了指示が発行されたことを、表示終了の指示として受け付けてもよい。次に、図１６の説明に移行する。
【０１１７】
図１６に示すように、技師端末２２０は、実施入力画面１２０の終了指示を受け付けた場合に、実施入力画面１２０の表示を終了するとともに、画像ビューア１３０の表示を終了する。技師端末２２０は、例えば、終了指示を受け付けた実施入力画面１２０のプロセスＩＤに対応付けられたオーダ番号を特定し、特定したオーダ番号に対応付けられたプロセスＩＤの画像ビューア１３０を特定する。そして、技師端末２２０は、終了指示を受け付けた実施入力画面１２０と、特定した画像ビューア１３０と、の表示を終了する。
【０１１８】
また、技師端末２２０は、図１３において実施入力画面１２０と画像ビューア１３０とを表示した際に、実施入力画面１２０を画像ビューア１３０から呼び出した表示領域として表示させてもよい。そして、技師端末２２０は、実施入力画面１２０の表示を終了する場合に、呼び出し元となる画像ビューア１３０を終了してもよい。
【０１１９】
また、技師端末２２０は、画像ビューア１３０の終了指示を受け付けた場合に、画像ビューア１３０の表示を終了するとともに、実施入力画面１２０の表示を終了してもよい。また、技師端末２２０は、オーダ情報一覧１１０の中から新たなオーダ情報が選択された場合に、画像ビューア１３０の表示を終了するとともに、実施入力画面１２０の表示を終了してもよい。
【０１２０】
これにより、技師端末２２０は、実施入力画面１２０と画像ビューア１３０とのうちの一方の表示を終了する場合には、連動して他方の表示も終了することができる。従って、検像者は、異なる撮像指示に応じて撮像された撮像画像を取り違えたり、異なる撮像指示に関する撮像指示が発行された以降に作成された患者に関する情報を取り違えたりすることによる検像ミスを防止することができる。
【０１２１】
（表示終了処理手順）
次に、図１７および図１８を用いて、表示終了処理手順について説明する。表示終了処理は、図１５および図１６の動作を実現する処理である。
【０１２２】
図１７は、表示終了処理手順の一例を示すフローチャート（その１）である。図１７の処理は、画像ビューア１３０を終了する場合に、連動して実施入力画面１２０を終了する処理である。また、図１７の処理は、実施入力画面１２０を画像ビューア１３０からの呼び出し関数として表示させた場合の処理である。
【０１２３】
図１７において、まず、技師端末２２０は、画像ビューア１３０の表示終了指示を受け付けたか否かを判定する（ステップＳ１７０１）。ここで、画像ビューア１３０の表示終了指示を受け付けていない場合（ステップＳ１７０１：Ｎｏ）、技師端末２２０は、ステップＳ１７０１に戻る。
【０１２４】
一方、画像ビューア１３０の表示終了指示を受け付けた場合（ステップＳ１７０１：Ｙｅｓ）、技師端末２２０は、画像ビューア１３０を表示終了する（ステップＳ１７０２）。次に、技師端末２２０は、画像ビューア１３０から呼び出した実施入力画面１２０があるか否かを判定する（ステップＳ１７０３）。
【０１２５】
ここで、実施入力画面１２０がない場合（ステップＳ１７０３：Ｎｏ）、技師端末２２０は、表示終了処理を終了する。一方、実施入力画面１２０がある場合（ステップＳ１７０３：Ｙｅｓ）、技師端末２２０は、実施入力画面１２０の表示を終了し（ステップＳ１７０４）、表示終了処理を終了する。
【０１２６】
図１８は、表示終了処理手順の一例を示すフローチャート（その２）である。図１８の処理は、実施入力画面１２０を終了する場合に、連動して画像ビューア１３０を終了する処理である。また、図１８の処理は、実施入力画面１２０を画像ビューア１３０からの呼び出し関数として表示させた場合の処理である。
【０１２７】
図１８において、まず、技師端末２２０は、実施入力画面１２０の表示終了指示を受け付けたか否かを判定する（ステップＳ１８０１）。ここで、実施入力画面１２０の表示終了指示を受け付けていない場合（ステップＳ１８０１：Ｎｏ）、技師端末２２０は、ステップＳ１８０１に戻る。
【０１２８】
一方、実施入力画面１２０の表示終了指示を受け付けた場合（ステップＳ１８０１：Ｙｅｓ）、技師端末２２０は、実施入力画面１２０の表示を終了する（ステップＳ１８０２）。次に、技師端末２２０は、実施入力画面１２０を呼び出した画像ビューア１３０があるか否かを判定する（ステップＳ１８０３）。ここで、画像ビューア１３０がない場合（ステップＳ１８０３：Ｎｏ）、技師端末２２０は表示終了処理を終了する。
【０１２９】
一方、画像ビューア１３０がある場合（ステップＳ１８０３：Ｙｅｓ）、技師端末２２０は、画像ビューア１３０の表示を終了する（ステップＳ１８０４）。これにより、技師端末２２０は、実施入力画面１２０と画像ビューア１３０とのうちの一方の表示を終了する場合には、連動して他方の表示も終了することができる。従って、検像者は、異なる撮像指示に応じて撮像された撮像画像を取り違えたり、異なる撮像指示に関する撮像指示が発行された以降に作成された患者に関する情報を取り違えたりすることによる検像ミスを防止することができる。
【０１３０】
以上説明したように、技師端末２２０によれば、検査対象に対応する情報を表示する複数のウィンドウがある場合、複数のウィンドウのいずれかのウィンドウの表示を終了する際に、連動して他のウィンドウの表示も終了することができる。これにより、表示制御装置の利用者は、検査対象に対応する情報の一部が画面に残ったまま、他の検査対象に対応する情報を表示してしまい、異なる検査対象に対応する情報が混在することを防止することができる。従って、検像者は、異なる検査対象に対応する情報を取り違えたりすることによる検像ミスを防止することができる。
【０１３１】
また、技師端末２２０によれば、撮像指示に応じて撮像者により撮像された撮像画像Ｐと、撮像者が撮像時に留意した事項に関する情報と、のうちの一方の表示を終了した場合には、連動して他方の表示も終了することができる。これにより、検像者は、異なる撮像指示に応じて撮像された撮像画像Ｐを取り違えたり、異なる撮像指示に関する撮像指示が発行された以降に作成された患者に関する情報を取り違えたりすることによる検像ミスを防止することができる。
【０１３２】
また、技師端末２２０によれば、検査対象に対応する情報の表示要求を受け付けた場合、複数のウィンドウの各々のウィンドウに、検査対象に対応するそれぞれ異なる情報を表示させることができる。これにより、表示制御装置は、検像者が検査対象に対応するそれぞれ異なる情報のうちのいずれかを表示し忘れることを防止する。また、表示制御装置は、検像者が検査対象に対応するそれぞれ異なる情報を表示するために行う作業負担を低減することができる。
【０１３３】
以上の説明では、検査対象が検像者によって検像される撮像画像Ｐである場合を例に挙げたが、これに限らない。例えば、検査対象が薬剤師によって患者に適した処方がされているかを検査する診療科医が作成した処方箋の情報であってもよい。この場合、検査対象の検査を支援する情報は、電子カルテや看護日誌を採用することができる。
【０１３４】
上述した実施の形態に関し、さらに以下の付記を開示する。
【０１３５】
（付記１）コンピュータに、
複数の検査対象のうちいずれか１の検査対象が選択されることに応じて表示した複数のウィンドウのうちいずれかのウィンドウについてウィンドウの表示を終了する指示を受け付けると、終了する指示を受け付けられた該ウィンドウを含む前記複数のウィンドウの表示を終了する、
処理を実行させることを特徴とする表示制御プログラム。
【０１３６】
（付記２）前記複数のウィンドウは、患者の撮像対象部位が指定された撮像指示に応じて撮像された撮像画像が表示される第１のウィンドウと、前記撮像指示に関する情報が表示される第２のウィンドウと、と、を含むことを特徴とする付記１に記載の表示制御プログラム。
【０１３７】
（付記３）前記コンピュータに、
前記複数の検査対象のうちいずれか１の検査対象に対応する情報の表示要求を受け付けた場合に、前記複数のウィンドウの各々のウィンドウに、前記検査対象に対応するそれぞれ異なる情報を表示させる、
処理を実行させることを特徴とする付記１または２に記載の表示制御プログラム。
【０１３８】
（付記４）コンピュータに、
複数の検査対象のうちいずれか１の検査対象が選択されることに応じて表示した複数のウィンドウのうちいずれかのウィンドウについてウィンドウの表示を終了する指示を受け付けると、終了する指示を受け付けられた該ウィンドウを含む前記複数のウィンドウの表示を終了する、
処理を実行させる表示制御プログラムを記録したことを特徴とする前記コンピュータに読み取り可能な記録媒体。
【０１３９】
（付記５）コンピュータが、
複数の検査対象のうちいずれか１の検査対象が選択されることに応じて表示した複数のウィンドウのうちいずれかのウィンドウについてウィンドウの表示を終了する指示を受け付けると、終了する指示を受け付けられた該ウィンドウを含む前記複数のウィンドウの表示を終了する、
処理を実行することを特徴とする表示制御方法。
【０１４０】
（付記６）複数の検査対象のうちいずれか１の検査対象が選択されることに応じて表示した複数のウィンドウのうちいずれかのウィンドウについてウィンドウの表示を終了する指示を受け付ける受付部と、
前記受付部によって終了する指示を受け付けられた該ウィンドウを含む前記複数のウィンドウの表示を終了する制御部と、
を有することを特徴とする表示制御装置。
【符号の説明】
【０１４１】
１１０  オーダ情報一覧
１２０  実施入力画面
１３０  画像ビューア
２２０  技師端末
２６０  検像支援装置
６０１  受付部
６０２  制御部
【図１】
2014092820.tif 000003
【図２】
2014092820.tif 000004
【図３】
2014092820.tif 000005
【図４】
2014092820.tif 000006
【図５】
2014092820.tif 000007
【図６】
2014092820.tif 000008
【図７】
2014092820.tif 000009
【図８】
2014092820.tif 000010
【図９】
2014092820.tif 000011
【図１０】
2014092820.tif 000012
【図１１】
2014092820.tif 000013
【図１２】
2014092820.tif 000014
【図１３】
2014092820.tif 000015
【図１４】
2014092820.tif 000016
【図１５】
2014092820.tif 000017
【図１６】
2014092820.tif 000018
【図１７】
2014092820.tif 000019
【図１８】
2014092820.tif 000020